(57)【要約】【課題】トイレ等へ行く場合にトイレ用スリッパへ履き替える必要がなく防寒性に優れた室内履き具を提供する。【解決手段】この室内履き具１００は、中綿を内包するとともに爪先から足甲を被覆する生地で構成された足甲部１１０と、中綿を内包するとともに足の側部から踵を被覆する生地で構成された足側部１２０と、足の底部を被覆する生地で構成された足底部１３０とを備える。この室内履き具１００の大きさは、この室内履き具１００を着用した状態でトイレ用スリッパをさらに着用することのできるように形成されている。【選択図】図１
2019097963.tif 000002
【特許請求の範囲】
【請求項１】
爪先を含む足甲と足底と踵とを被覆する室内履き具であって、
中綿を内包するとともに爪先から足甲を被覆する生地で構成された足甲部と、
中綿を内包するとともに足の側部から踵を被覆する生地で構成された足側部と、
足の底部を被覆する生地で構成された足底部とを備え、
前記足甲部および前記足側部と前記足底部とが接合されて立体的に形成されるとともに、前記足底部に対して上下反対側に足を出し入れするための開口部が設けられ、
前記室内履き具の大きさが、前記室内履き具を着用した状態で室内履きをさらに着用することのできるように形成されていることを特徴とする、室内履き具。
【請求項２】
前記開口部に連続して形成され、中綿を内包するとともに足首を被覆する筒部をさらに含み、前記筒部の上端に前記開口部が形成されることを特徴とする、請求項１に記載の室内履き具。
【請求項３】
前記足甲部において爪先を被覆する部分は、第１足指を他の足指と分離して爪先を被覆することを特徴とする、請求項１または請求項２に記載の室内履き具。
【請求項４】
前記足底部の足裏当接側は起毛されていることを特徴とする、請求項１〜請求項３のいずれかに記載の室内履き具。
【請求項５】
前記中綿を内包した部分は、前記中綿の移動を防止するために複数に分けられて内包されていることを特徴とする、請求項１〜請求項４のいずれかに記載の室内履き具。
【発明の詳細な説明】
【技術分野】
【０００１】
本発明は、主として室内で防寒用に使用される室内履き具に関し、特に、トイレ等へ行く場合にトイレ用スリッパへ履き替える必要のない等の便利な室内履き具に関する。
【背景技術】
【０００２】
室内で使用される室内履き具の代表的なものとして、スリッパとサンダルとがある。近年では、スリッパよりも足から抜け難い靴の形状に近いルームシューズの需要が高まっている。このルームシューズには、歩きやすさ、および、快適な履き心地が求められる。このような機能に加えて、冬季の防寒対策を施した、ブーツタイプ（足の全体をすっぽりと覆うタイプ）のルームシューズも見られる。このようなルームシューズは、軽くて、暖かくて、重宝されており、さまざまなタイプのルームシューズが開発されている。防寒対策としては、ルームシューズの内面に中綿を含ませている。また、このような構成を備え、専ら防寒用として中綿に（たとえばポリエステル綿ではなく）ダウン、フェザー等の羽毛を採用したブーツタイプ（ショートブーツタイプ、ロングブーツタイプ）のルームシューズが販売されている。
【０００３】
このようなルームシューズが本願出願人により出願された特開２０１３−１９２８７０号公報（特許文献１）に開示されている。この特許文献１に開示されたルームシューズは、室内で足に履く左右一対のルームシューズであって、足甲、足裏および踵を覆うように、布帛で形成された足部と、前記足部に連続して形成され、足首を覆うように、布帛で形成された筒部と、前記足部および前記筒部における足に対向する位置に、前記布帛に内包された中綿とを含み、前記布帛は、表側生地と肌側生地と前記表側生地および前記肌側生地の間に設けられた内生地とを含み、前記中綿は、前記内生地と前記肌側生地との間に内包され、前記布帛の少なくとも一部は２本針で縫製され、前記布帛の中の少なくとも表側生地は前記中綿が吹き出すことを防止するようにコーティング加工され、前記布帛の中の少なくとも内生地は高密度織りされていることを特徴とする。
【先行技術文献】
【特許文献】
【０００４】
【特許文献１】特開２０１３−１９２８７０号公報
【発明の概要】
【発明が解決しようとする課題】
【０００５】
この特許文献１に開示されたルームシューズは、室内で足に履く左右一対のブーツタイプであって、防寒性能のために設けられた中綿がルームシューズ外に出ることなく、その防寒性能が経時的に低下しない点で非常に好評を得ている。
ところで、特許文献１に開示されたルームシューズを室内で履いて防寒している場合において、ルームシューズを履いたままトイレへ行ったときにトイレ用スリッパを履かなければならない事態に陥る。この場合、一般的に、このような中綿入りのブーツタイプのルームシューズを履いたままではトイレ用スリッパを履くことができず、ルームシューズを一旦脱いでトイレ用スリッパへ履き替えてトイレに入ってトイレを済まし、その後、また、トイレ用スリッパからルームシューズへ履き替えなければならず、特に暖房されていないことの多いトイレ近傍での防寒対策が十分でない（トイレ用スリッパは非常に冷たく、かつ、トイレ用スリッパに履き替えるために一旦に脱いだルームシューズの中綿が保持していた空気層は冷えてしまう）可能性が想定される。
【０００６】
本発明は、従来技術の上述の問題点に鑑みて開発されたものであり、その目的とするところは、防寒用に使用される室内履き具であってトイレ等へ行く場合に他の室内履き（トイレへ行く場合にはトイレ用スリッパ）へ履き替える必要のない等で便利で、かつ、防寒性に優れた室内履き具を提供することである。
【課題を解決するための手段】
【０００７】
上記目的を達成するため、本発明に係る室内履き具は以下の技術的手段を講じている。
すなわち、本発明に係る室内履き具は、爪先を含む足甲と足底と踵とを被覆する室内履
き具であって、中綿を内包するとともに爪先から足甲を被覆する生地で構成された足甲部と、中綿を内包するとともに足の側部から踵を被覆する生地で構成された足側部と、足の底部を被覆する生地で構成された足底部とを備え、前記足甲部および前記足側部と前記足底部とが接合されて立体的に形成されるとともに、前記足底部に対して上下反対側に足を出し入れするための開口部が設けられ、前記室内履き具の大きさが、前記室内履き具を着用した状態で室内履きをさらに着用することのできるように形成されていることを特徴とする
好ましくは、前記開口部に連続して形成され、中綿を内包するとともに足首を被覆する筒部をさらに含み、前記筒部の上端に前記開口部が形成されるように構成することができる。
【０００８】
さらに好ましくは、前記足甲部において爪先を被覆する部分は、第１足指を他の足指と分離して爪先を被覆するように構成することができる。
さらに好ましくは、前記足底部の足裏当接側は起毛されているように構成することができる。
さらに好ましくは、前記中綿を内包した部分は、前記中綿の移動を防止するために複数に分けられて内包されているように構成することができる。
【発明の効果】
【０００９】
本発明によれば、防寒用に使用される室内履き具であってトイレ等へ行く場合に他の室内履き（トイレへ行く場合にはトイレ用スリッパ）へ履き替える必要のない等で便利で、かつ、防寒性に優れた室内履き具を提供することができる。
【図面の簡単な説明】
【００１０】
【図１】本発明の実施の形態に係る室内履き具の全体斜視図である。
【図２】図１の室内履き具を裏返した全体斜視図である。
【図３】図１に示す室内履き具の正面図である。
【図４】図１に示す室内履き具の側面図である。
【図５】図４の室内履き具を裏返した側面図である。
【図６】図４の室内履き具に符号を付した部分の断面図およびその一部拡大図である。
【発明を実施するための形態】
【００１１】
以下、本発明の実施の形態に係る室内履き具１００を、図面に基づき詳しく説明する。図１は、本発明の実施の形態に係る室内履き具１００を足Ｆに着用した着用状態を示す全体斜視図であって、図２は、図１に示す室内履き具１００を裏返した全体斜視図である。この図１に示す着用状態についての正面図が図３であって、この図１に示す着用状態についての側面図が図４であって、この図２に示す着用状態についての側面図が図５（すなわち、図５は図４を裏返した状態）である。また、図６は図４の断面図およびその一部拡大図であって、図６（Ａ）は図４の６Ａ−６Ａ断面図、図６（Ｂ）は図４の６Ｂ−６Ｂ断面図、図６（Ｃ）は図４の６Ｃ−６Ｃ断面図、図６（Ｄ）は図６（Ｃ）の一部を拡大した図である。
【００１２】
ここで、これらの図１〜図６は、着用者の足Ｆ（より詳しくは右足）にこの室内履き具１００を着用している状態を想定している。すなわち、本実施の形態に係る室内履き具１００は、中綿を内包した生地で形成されているために、このように想定して図示しない場合には（中綿を含んでいるので少しは形態保持性があるとはいえ）縮んだ状態となり、形状を理解することが困難なため、上述のように想定している。
【００１３】
また、限定されるものではないが、以下に示す室内履き具１００は左右共用であって、左右共用であるために左右を履き間違いすることがない点で好ましい。なお、室内履き具が左右共用でない場合には、左足用と右足用とは左右対称の形状を備える。なお、詳しくは後述するが、この室内履き具１００を足Ｆに着用した状態でも、さらに別の室内履き（この室内履きは本実施の形態に係る室内履き具１００であってもトイレ用スリッパ等の他の室内履き（室内用のスリッパ、サンダル、下駄等）であっても構わない）をさらに（重ねて）着用することのできるように、この室内履き具１００の大きさが形成されている点
が、この室内履き具１００についての大きな特徴である。ここで、室内用のスリッパ、サンダル、下駄等とは、室外で使用できないという概念ではなく、室内室外と問わないで製造販売されているが室内で使用されることのできる室内履きを意味する。
【００１４】
以下において、これらの図に基づいて、この室内履き具１００について詳しく説明する。ここで、基本的には素足（または（足袋を含む）靴下を着用した上）で防寒のために室内で着用するこのような室内履き具（特許文献１のようにルームシューズと呼ばれるものも含む）であって、爪先を含む足甲と足底と踵と（さらに足首と）を被覆する室内履き具の構造には様々なものがあり、本発明は特定の構造に限定されるものではなく、後述する特徴を備えたものであれば、どのような室内履き具の構造であっても、室内履き具を構成する生地の種類、生地の型紙およびその生地（編地）の接合方法がどのようなものであっても基本的には構わない。なお、この室内履き具１００においては、生地として伸縮性を備えた生地（編地であっても構わないが編地に限定されない）を採用している。このように、以下に示すこの室内履き具１００の構造自体は単なる例示でしかない。
【００１５】
また、この室内履き具１００は、中綿を内包した複数の生地で形成されている。室内履き具１００を形成する生地は外側生地と肌側生地とであって、それらの生地の間に中綿２００が挟み込まれて内包されている。これらの生地（外側生地および肌側生地）ならびにその中綿の素材は、特に限定されるものではないが、たとえば、生地はポリエステル１００％の生地であったり、ポリエステル７０％、綿２５％およびレーヨン５％の生地であったりして、中綿はダウン５０％およびフェザー５０％であったり、ポリエステル１００％（ポリエステル綿）であったりする。中綿については、保温性が高いダウン５０％およびフェザー５０％の羽毛がより好ましいが、空気層を保持できてこの室内履き具１００の防寒性を達成できるのであればポリエステル１００％のポリエステル綿であっても構わない。
【００１６】
このような中綿として採用されるダウンやフェザー等の羽毛およびポリエステル綿は、生地の織り目の隙間からでも、縫製の小さな穴からでも、羽毛がこの室内履き具１００の外部へ吹き出して（飛び出して）しまう（特に羽毛）。その結果、中綿が室内に浮遊したり、中綿が減少して室内履き具１００の防寒性能が低下する。このような問題に対して、この室内履き具１００においては、中綿を内包する生地（中綿を挟む外側生地および肌側生地の少なくとも一方）は、中綿が吹き出すことを防止するように表面をコーティング加工している。この室内履き具１００において、このコーティング加工するにあたり、加工ムラのないコーティング剤を採用している。さらに、このような問題に対して、この室内履き具１００においては、中綿を内包する生地（中綿を挟む外側生地および肌側生地の少なくとも一方）は、高密度織りしている。通常は１９０番手の生地であるのに対して、この室内履き具１００においては２１０番手の生地を採用した。なお、番手とは、８４０ヤード（７６８．１メートル）で１ポンド（４５３．６グラム）あれば１番手といい、同じ重さで２倍の長さがあると２番手となる。この番手の数字が大きくなればなるほど、糸が細くなり生地の目が詰まって、より高密度に織られた生地になる。
【００１７】
本実施の形態に係る室内履き具１００は、基本的には素足（または（足袋を含む）靴下を着用した上）で防寒のために室内で着用され、爪先を含む足甲と足底と踵とを被覆する。この室内履き具１００は、中綿２００を内包するとともに爪先から足甲を被覆する生地で構成された足甲部１１０と、中綿２００を内包するとともに足の側部から踵を被覆する生地で構成された足側部１２０と、足の底部を被覆する生地で構成された足底部１３０とを備える。そして、足甲部１１０および足側部１２０と、足底部１３０とが接合されて立体的に形成されるとともに、足底部１３０に対して上下反対側に足を出し入れするための開口部１４０が設けられている。さらに特徴的であるのは、室内履き具１００の大きさが、この室内履き具１００を着用した状態で室内履きをさらに着用することのできるように形成されている点である。この場合において、さらに着用することのできる室内履きには、この室内履き具１００であっても（この場合には室内履き具１００の二重履きになる）、トイレ用スリッパ等の他の室内履きであっても（この場合には室内履き具１００を着用したままでこの室内履き具１００以外のトイレ用スリッパ等を履く二重履きになる）構わ
ない。
【００１８】
ここで、開口部１４０に連続して形成され、中綿２００を内包するとともに足首を被覆する筒部２３０をさらに含むようにしたブーツ型の室内履き具１００としてもよい。この場合、図３および図４に一点鎖線で示すように、この筒部２３０の上端に開口部２４０が形成されることになり、足首を好適に保温して防寒性を向上させることができる。
さらに、この室内履き具１００は、足甲部１１０において爪先を被覆する部分は、第１足指（足の親指）を他の足指（足の親指以外の４足指）と分離して爪先を被覆するように形成しても構わない。このようにすると、素足に足袋を履いてこの室内履き具１００を着用することができるし（素肌、足袋、室内履き１００の順）、（二重履きする）トイレ用スリッパ等が第１足指（足の親指）を他の足指（足の親指以外の４足指）と分離した下駄タイプの室内履きである場合にも、室内履き具１００を着用したままでこのようなトイレ用スリッパ等を履く二重履き（素肌（足袋は任意）、室内履き具１００、下駄タイプの室内履きの順）が可能になる。
【００１９】
さらに、この室内履き具１００は、足底部１３０の足裏に当接する側の足底肌側生地１３４は起毛されているようにすると、防寒性および肌接触性が向上するので好ましい。
さらに、中綿２００を内包した部分は、中綿２００の移動を防止して、防寒性の偏りを防止するために複数に分けられて内包されている。たとえば、足甲部１１０においては、足甲部１１０の外側生地と肌側生地との間に中綿２００が挟み込まれて内包されているが、これらの外側生地と肌側生地とが分離縫着部１１８で縫着されており、中綿２００が分離縫着部１１８を越えて移動できないことになり、中綿２００は複数に分けられて内包されている。このように足甲部１１０においては、甲部内包部１１２と側部内包部１１４とに分けられて中綿２００が内包されている。図示しないが、足側部１２０においても、たとえば踵位置に分離縫着部を設けて中綿２００は複数に分けられて内包すると、足側部１２０においても中綿２００の移動を防止して、防寒性の偏りを防止することができる。
【００２０】
この室内履き具１００において、上述したように、足甲部１１０、足側部１２０、筒部２３０においては、それらは外側生地および肌側生地と、それらの生地の間に挟み込まれて内包された中綿２００とにより構成されており、足底部１３０においては、起毛された足底肌側生地１３４と室内の床面に当接するために（後述する芯材とともに）室内歩行時に繰り返し受ける衝撃に耐え得る強度を備えた足底外側生地１３２とで構成されている。
【００２１】
たとえば、限定されるものではないが、足底部１３０は、足裏の形状に対応する形状を備え、足底部１３０の形状を保持するための芯材（図示しない）と、その芯材の裏面側に設けられ床面に接地する側の足底外側生地１３２と、その芯材の表面側に設けられ肌に当接する側の（起毛された）足底肌側生地１３４とで構成される。さらに、足底肌側生地１３４には土踏まず部分および踵部に、接着剤で貼着した滑り防止部（図示しない）を構成することも好ましい。なお、この芯材は、ユーザの体重が付与されても足底部１３０の形状を保持することにより、この室内履き具１００の全体の形状を保持する。しかしながら、この室内履き具１００の全体の形状または足底部１３０の形状を保持することができれば、芯材を含まない構造であっても構わない。滑り防止部は、たとえば、微少なゴム等の突起が表面に多数形成されて滑り止め加工が施された合成皮革等のシートである。
【００２２】
上述したような特徴を備えたこの室内履き具１００について、図１〜図６を参照して、さらに詳しく説明する。
この室内履き具１００においては、足甲部１１０と足側部１２０とが接続縫着部１５０により縫着（縫製による接合）されて、このように接合された足甲部１１０および足側部１２０と足底部１３０とが足底縫着部１６０により縫着（縫製による接合）されて立体的な形状を備えた室内履き具１００を形成している。なお、足甲部１１０と足側部１２０とが接続縫着部１５０により接合されているために、足底縫着部１６０は爪先側の前側足底縫着部１６２と踵側の後側足底縫着部１６４とに分かれるが、足底部１３０の周縁に沿った足底形状の１周分が連続して縫製されて、立体的な室内履き具１００が形成される。
【００２３】
また、開口部１４０の周縁は、足甲部１１０においても足側部１２０においても、外側生地と肌側生地とが接合されており、足甲部１１０には開口前側周縁部１１６が形成され
ており、足側部１２０には開口後側周縁部１２６が形成されている。
この開口部１４０の上縁の全周に亘って伸縮性細幅生地（図示しない）を設けることも好ましい。たとえば、開口前側周縁部１１６および開口後側周縁部１２６の少なくとも一方に、室内履き具１００の内側（足Ｆが接する側：内側：肌当接面）に伸縮性細幅生地が設ける。この室内履き具１００を履くときに伸縮性細幅生地を伸張させると開口部１４０が大きく開くために履きやすく、かつ、室内履き具１００を履いた後は伸縮性細幅生地が収縮して開口部１４０が小さくなるために歩行時に室内履き具１００が脱げることがない。
【００２４】
なお、この開口部１４０の上縁の全周に亘って設ける伸縮性細幅生地については、室内履き具１００の外側（足Ｆが接する側とは逆側：外側（靴側）：肌当接面の逆面）に伸縮性細幅生地を設けるようにしても構わない。なお、この伸縮性細幅生地は、開口部１４０の上縁の全周ではなく上縁の一部（たとえば開口前側周縁部１１６および開口後側周縁部１２６の一方のみ）に設けるようにしても構わないし、連続的ではなく断続的に設けるようにしても構わない。さらに、限定されるものではないが、（たとえば本願出願人により出願され公開された特開２０１４−１３３９５２号公報に記載されたように）伸縮性細幅生地を折り返して折り返した線が開口部１４０の上縁に略一致するように設けられるようにしても構わない。その結果、伸縮性細幅生地の幅の略半分が室内履き具１００の内側（足Ｆが接する側：内側：肌当接面）に、伸縮性細幅生地の幅のもう一方の略半分が室内履き具１００の外側（足Ｆが接する側とは逆側：外側（靴側）：肌当接面の逆面）に、跨がって伸縮性細幅生地が設けられることになる。
【００２５】
このように、この室内履き具１００は（筒部２３０を任意構成として）足甲部１１０と、足側部１２０と、足底部１３０との３つの生地（これら３つのうちの少なくとも足甲部１１０および足側部１２０は中綿２００を内包）が接合された立体的な形状を備える。そして、この室内履き具１００は、開口部１４０における外側生地と肌側生地とが接合されて、足甲部１１０の開口前側周縁部１１６および足側部１２０の開口後側周縁部１２６が形成されている。このようにこの室内履き具１００においては複数の生地が接合されているが、接合方法は、接着剤による接着（接着による接合）であっても、縫合糸による縫着（縫着による接合）であっても構わない。より具体的には、この室内履き具１００においては、開口前側周縁部１１６および開口後側周縁部１２６における接合方法は接着であって（外側生地と肌側生地とが接着により接合され）、その他における接合方法は縫着により接合されている。
【００２６】
また、接着剤として、接着テープを用いても構わない。接着テープを採用する場合には、帯状部材の一面に接着剤が塗布された接着テープであって、加熱することにより接着剤が溶融して編地を熱接着して接合するものが好ましい。なお、この場合の接合には、熱圧着によるもの、熱溶着によるもの、熱融着によるもの等を含む。
さらに、この室内履き具１００の踵部の上縁における室内履き具１００の内側（足Ｆが接する側：内側：肌当接面）には、シリコーン樹脂等の薄い透明のシートで形成された踵部滑り止めを設けることも好ましい。これにより、足Ｆの踵との密着性を高めて室内履き具１００が足Ｆの踵の部分からずれることをさらに防止することができる。なお、この踵部滑り止めは、本発明に係る室内履き具において必須の構成ではない。
【００２７】
以上のようにして、本実施の形態に係る室内履き具１００によると、その大きさが、この室内履き具１００を着用した状態で室内履きをさらに着用することのできるように形成されているために、室内履き具１００を着用したままでトイレ用スリッパ等を履く二重履きが可能になる。その結果、室内履き具１００を着用して室内で防寒している場合において、トイレ等へ行く場合に他の室内履き具（トイレへ行く場合にはトイレ用スリッパ）へ履き替える必要がなく、室内履き具１００を着用した状態を継続できるので、中綿２００に保持される空気層の温度が低下しないために、高い防寒性を実現することができる、履き替え不要な便利な室内履き具を提供することができる。この室内履き具１００ではなく通常のルームシューズであると、トイレへ行く度にトイレ用スリッパ）へ履き替える必要がありトイレ中に中綿２００に保持される空気層の温度が低下してしまい（多くの場合ト
イレ内もトイレ前の廊下も十分には暖房されておらず室温が少なくとも体温より相当に低い）、高い防寒性を実現することができない点で、本実施の形態に係る室内履き具１００は非常に大きな作用効果を奏する。
【００２８】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２９】
本発明は、防寒用に使用される室内履き具に好適であり、トイレ等へ行く場合に他の室内履き（トイレへ行く場合にはトイレ用スリッパ）へ履き替える必要のない等の便利で、かつ、防寒性に優れている点で特に好ましい。
【符号の説明】
【００３０】
１００  室内履き具
１１０  足甲部
１１２  甲部内包部
１１４  側部内包部
１１６  開口前側周縁部
１１８  分離縫着部
１２０  足側部
１２６  開口後側周縁部
１３０  足底部
１３２  足底外側生地
１３４  足底肌側生地
１４０  開口部
１５０  接続縫着部
１６０  足底縫着部
１６２  前側足底縫着部
１６４  後側足底縫着部
２００  中綿
２３０  筒部
２４０  開口部
Ｆ      足
【図１】
2019097963.tif 000003
【図２】
2019097963.tif 000004
【図３】
2019097963.tif 000005
【図４】
2019097963.tif 000006
【図５】
2019097963.tif 000007
【図６】
2019097963.tif 000008